(57)【要約】      （修正有）【課題】所望の波長域外の光を受光する可能性を低減する。【解決手段】生体に光を照射する発光部２３１と、生体の内部で反射した光を受光する受光部２５５と、発光部と生体との間に設けられ、波長可変範囲内における透過率の複数のピークのうち何れかのピークに対応する波長の光を選択的に透過させる分光部２５３と、発光部と生体との間に設けられ、波長可変範囲の上限値に対応する第１波長を上回る波長の光を低減する第１フィルター２３７と、生体と受光部との間に設けられ、第１波長よりも長波長側の第２波長を上回る波長の光を低減する第２フィルター２５１とを具備する分光システム。【選択図】図２
2019049470.tif 000002
【特許請求の範囲】
【請求項１】
生体に光を照射する発光部と、
前記生体の内部で反射した前記光を受光する受光部と、
前記生体と前記受光部との間に設けられ、波長可変範囲内における透過率の複数のピークのうち何れかのピークに対応する波長の光を選択的に透過させる分光部と、
前記発光部と前記生体との間に設けられ、前記波長可変範囲の上限値に対応する第１波長を上回る波長の光を低減する第１フィルターと、
前記生体と前記受光部との間に設けられ、前記第１波長よりも長波長側の第２波長を上回る波長の光を低減する第２フィルターと
を具備する分光システム。
【請求項２】
前記第２波長は、前記受光部が受光可能な光の波長の範囲である受光波長範囲の上限値を下回る
請求項１の分光システム。
【請求項３】
生体に光を照射する発光部と、
前記生体の内部で反射した前記光を受光する受光部と、
前記生体と前記受光部との間に設けられ、波長可変範囲内における透過率の複数のピークのうち何れかのピークに対応する波長の光を選択的に透過させる分光部と、
前記発光部と前記生体との間に設けられ、前記波長可変範囲の下限値に対応する第３波長を下回る波長の光を低減する第１フィルターと、
前記生体と前記受光部との間に設けられ、前記第３波長よりも短波長側の第４波長を下回る波長の光を低減する第３フィルターと
を具備する分光システム。
【請求項４】
前記第４波長は、前記受光部が受光可能な光の波長の範囲である受光波長範囲の下限値を上回る
請求項３の分光システム。
【発明の詳細な説明】
【技術分野】
【０００１】
本発明は、例えば生体等の被測定体に照射された光を検出するための技術に関する。
【背景技術】
【０００２】
被測定体に照射された光を検出する各種の測定技術が従来から提案されている。例えば特許文献１には、測定対象に照射した光を検出して、当該検出した光から測定対象を分析する構成が開示されている。
【先行技術文献】
【特許文献】
【０００３】
【特許文献１】特開２０１６−１２１９２６号公報
【発明の概要】
【発明が解決しようとする課題】
【０００４】
ここで、生体の生体情報を光学的に測定するためには、生体に照射された光を分光部により分光したうえで、受光部で受光することが必要な場合もある。しかし、受光部が受光可能な光の波長の範囲が広範囲にわたる場合、分光部が所望の波長域外の光を分光すると、受光部が当該波長域外の光を受光してしまう場合がある。以上の事情を考慮して、本発明は、所望の波長域外の光を受光する可能性を低減することを目的とする。
【課題を解決するための手段】
【０００５】
以上の課題を解決するために、本発明の第１態様に係る分光システムは、生体に光を照射する発光部と、生体の内部で反射した光を受光する受光部と、発光部と生体との間に設けられ、波長可変範囲内における透過率の複数のピークのうち何れかのピークに対応する波長の光を選択的に透過させる分光部と、発光部と生体との間に設けられ、波長可変範囲の上限値に対応する第１波長を上回る波長の光を低減する第１フィルターと、生体と受光部との間に設けられ、第１波長よりも長波長側の第２波長を上回る波長の光を低減する第２フィルターとを具備する。ここで、生体に照射される光の強度は、所定の許容値を下回る必要がある。以上の態様では、発光部と生体との間で波長可変範囲の上限値に対応する第１波長を上回る波長の光が低減されるから、生体と受光部との間で第１波長を上回る波長の光を低減する構成と比較して、所定の許容値を下回る範囲内で波長可変範囲内の光（第１波長を下回る光）をより多く生体に照射することが可能である。また、第１波長よりも長波長側の第２波長を上回る波長の光が第２フィルターにより低減されるから、第１フィルターで低減しきれなかった波長可変範囲外の光を低減することが可能である。
【０００６】
本発明の第１態様の好適例において、第２波長は、受光部が受光可能な光の波長の範囲である受光波長範囲の上限値を下回る。以上の態様では、受光部が受光可能な光の波長の範囲である受光波長範囲の上限値を第２波長が下回るから、第１フィルターで低減しきれなかった光を受光部が受光する可能性が低減できる。
【０００７】
本発明の第２態様に係る分光システムは、生体に光を照射する発光部と、生体の内部で反射した光を受光する受光部と、発光部と生体との間に設けられ、波長可変範囲内における透過率の複数のピークのうち何れかのピークに対応する波長の光を選択的に透過させる分光部と、発光部と生体との間に設けられ、波長可変範囲の下限値に対応する第３波長を下回る波長の光を低減する第１フィルターと、生体と受光部との間に設けられ、第３波長よりも短波長側の第４波長を下回る波長の光を低減する第３フィルターとを具備する。ここで、生体に照射される光の強度は、所定の許容値を下回る必要がある。以上の態様では、発光部と生体との間で波長可変範囲の下限値に対応する第１波長を下回る波長の光が低減されるから、生体と受光部との間で第１波長を下回る波長の光を低減する構成と比較して、所定の許容値を下回る範囲内で波長可変範囲内の光（第１波長を上回る光）をより多く生体に照射することが可能である。また、また、第３波長よりも短波長側の第４波長を下回る波長の光が第３フィルターにより低減されるから、第１フィルターで低減しきれなかった波長可変範囲外の光（具体的には波長可変範囲の下限値よりも短波長側の光）を低減することが可能である。
【０００８】
本発明の第２態様の好適例において、第４波長は、受光部が受光可能な光の波長の範囲である受光波長範囲の下限値を上回る。以上の態様では、受光部が受光可能な光の波長の範囲である受光波長範囲の下限値を第４波長が上回るから、第１フィルターで低減しきれなかった光を受光部が受光する可能性が低減できる。
【図面の簡単な説明】
【０００９】
【図１】本発明の第１実施形態に係る生体情報測定装置の構成図である。
【図２】検出装置を測定部位に垂直な断面における断面図である。
【図３】第１フィルターおよび第２フィルターの透過率特性を示す説明図である。
【図４】本発明の第２実施形態に係る第１フィルターおよび第３フィルターの透過率特性を示す説明図である。
【発明を実施するための形態】
【００１０】
＜第１実施形態＞
図１は、本発明の第１実施形態に係る生体情報測定装置１の構成図である。生体情報測定装置１は、被験者の生体情報を非侵襲的に測定する測定機器である。例えば利用者の血糖値（グルコース濃度）が生体情報として例示される。なお、生体情報は血糖値に限定されない。
【００１１】
生体情報測定装置１は、検出装置２０と特定部４０と表示部６０とを具備する。検出装置２０は、利用者の身体のうち測定対象となる部位（以下「測定部位」という）Ｍの状態に応じた検出信号を生成する光学センサーモジュールである。測定部位Ｍ（例えば手首または上腕）の表面に生体情報測定装置１が装着される。
【００１２】
図２は、測定部位Ｍに垂直な断面における検出装置２０の断面図である。図２に例示される通り、検出装置２０は、筐体２１と発光ユニット２３と受光ユニット２５と保護部２７とを具備する。なお、検出装置２０が具備する発光ユニット２３の個数は任意である。図２では、２個の発光ユニット２３を検出装置２０が具備する場合を例示する。
【００１３】
筐体２１は、中空の構造体であり、発光ユニット２３と受光ユニット２５と保護部２７とを収容する。具体的には、筐体２１は、測定部位Ｍの表面に対向する面（以下「対向面」という）Ｆと、受光経路１１と照射経路１３とを具備する。対向面Ｆは、血糖値の測定時に測定部位Ｍの表面に接触する。受光経路１１は、対向面Ｆから略垂直に受光ユニット２５に向って形成された断面円形の空間である。受光経路１１において対向面Ｆとは反対側の端部に受光ユニット２５が位置する。照射経路１３は、発光ユニット２３から出射された光が通過する断面円形の空間であり、受光経路１１から分岐して発光ユニット２３に向うように形成される。照射経路１３の軸線は、対向面Ｆに対して傾斜する。対向面Ｆには、受光経路１１を覆うように光透過性の保護部２７（例えばガラス板）が設置される。
【００１４】
発光ユニット２３は、測定部位Ｍに光を照射する。具体的には、発光ユニット２３は、発光部２３１とリフレクター２３３とレンズ２３５と第１フィルター２３７とを具備する。発光部２３１は、生体（測定部位Ｍ）に光を照射する。図３には、発光部２３１による出射光の分光特性（強度スペクトル）が点線で図示されている。第１実施形態の発光部２３１は、広い範囲にわたり強度が分布する光を出射する。例えば白熱電球等の発光素子が発光部２３１として好適である。なお、ＬＥＤ（Light Emitting Diode）を発光部２３１として利用してもよい。
【００１５】
図２のリフレクター２３３は、筒状の構造体である。リフレクター２３３の一方の端部には発光部２３１が設置され、他方の端部にはレンズ２３５および第１フィルター２３７が位置する。発光部２３１から出射された光は、リフレクター２３３の内面で反射することでレンズ２３５に誘導される。
【００１６】
レンズ２３５は、発光部２３１から出射された光を通過させる。発光部２３１から出射された光を平行光に変換する凸レンズがレンズ２３５として好適である。レンズ２３５からみて発光部２３１とは反対側に第１フィルター２３７が位置する。つまり、第１フィルター２３７は、発光部２３１と生体（保護部２７）との間に設けられる。レンズ２３５を通過した光は、第１フィルター２３７を通過する。第１フィルター２３７は、所定の通過帯域（波長域）内の成分を選択的に透過させて、他の成分を低減（理想的には遮光）する光学フィルターである。第１フィルター２３７の詳細については後述する。
【００１７】
第１フィルター２３７を透過した光は、照射経路１３と保護部２７とを通過して、測定部位Ｍ（生体）の表面に照射される。測定部位Ｍの表面に入射した光は、測定部位Ｍの内部を通過しながら拡散反射を繰返したうえで検出装置２０側に出射する。具体的には、測定部位Ｍの内部に存在する血管と血管内の血液および間質液とを通過した光が測定部位Ｍから検出装置２０側に出射する。測定部位Ｍから出射した光は、保護部２７と受光経路１１とを通過して、受光ユニット２５に到達する。すなわち、発光ユニット２３と受光ユニット２５とは、反射型の光学センサーモジュールとして機能する。ただし、発光ユニット２３と受光ユニット２５とが測定部位Ｍを挟んで反対側に位置する透過型の光学センサーを検出装置２０として利用してもよい。
【００１８】
受光ユニット２５は、発光ユニット２３から照射されて生体（測定部位Ｍ）の内部で反射した光の受光レベルに応じた検出信号を生成する。具体的には、受光ユニット２５は、第２フィルター２５１と分光部２５３と受光部２５５とを具備する。血糖値の測定時に受光経路１１を介して測定部位Ｍに対向するように、測定部位Ｍ側から第２フィルター２５１と分光部２５３と受光部２５５とがこの順番で位置する。つまり、第２フィルター２５１と分光部２５３とは、発光部２３１と生体（または保護部２７）との間に設けられる。なお、第２フィルター２５１と分光部２５３との位置が逆でもよい。
【００１９】
発光ユニット２３から照射され生体の内部で反射した光は、保護部２７および受光経路１１を通過して、第２フィルター２５１に入射する。第２フィルター２５１は、所定の通過帯域（波長域）内の成分を選択的に透過させて、他の成分を低減（理想的には遮光）する光学フィルターである。第２フィルター２５１の詳細については後述する。第２フィルター２５１を透過した光は、分光部２５３で分光される。
【００２０】
分光部２５３は、特定の波長域（以下「波長可変範囲」という）ＷV内の光を選択的に透過させる。例えばファブリ・ペロー型干渉計（エタロン）が分光部２５３として好適に利用される。図３には、分光部２５３の透過率特性（波長と透過率との関係）が示されている。
【００２１】
ここで、分光部２５３の透過率特性には、複数の異なる干渉次数に対応する透過率のピークが存在する。図３の波長可変範囲ＷVは、例えば分光部２５３の透過率特性において特定の干渉次数に対応するピークが存在する範囲である。例えば干渉次数が１次である透過率の複数のピークが存在する範囲が波長可変範囲ＷVとして例示される。図３では、１０００ｎｍ以上１２００ｎｍ以下の波長域が波長可変範囲ＷVとして例示される。波長可変範囲ＷV外の範囲ＷSには、波長可変範囲ＷVにおける干渉次数とは異なる干渉次数の透過率のピークが存在する。例えば、波長可変範囲ＷVにおける干渉次数が１次の場合は、１次以外の干渉次数（２次，３次，…）に対応する透過率のピークが存在する。
【００２２】
具体的には、分光部２５３は、波長可変範囲ＷV内および波長可変範囲ＷV外（範囲ＷS）における透過率の複数のピークのうち、干渉次数が異なる複数のピーク（以下「透過ピーク」という）の各々に対応する波長の光を選択的に透過させる。分光部２５３に印加される電圧値に応じた複数の透過ピークの各々に対応する波長の光が選択的に透過される。具体的には、所定の電圧値を分光部２５３に印加することで、波長可変範囲ＷV内の１次の透過ピークに対応する波長の光と、範囲ＷSにおける他の干渉次数の透過ピークに対応する光とが同時に透過される。
【００２３】
図２の受光部２５５は、生体の内部で反射した光を受光する。具体的には、分光部２５３を通過した光（すなわち透過ピークに対応する波長の光）の受光レベルに応じた検出信号を生成する。例えば近赤外光に受光感度を示すＩｎＧａＡｓ（インジウムガリウム砒素）で光電変換層が形成された受光素子が受光部２５５として好適に利用される。図３には、受光部２５５の受光感度特性が図示されている。受光部２５５が受光可能な光の波長の範囲（以下「受光波長範囲」という）ＷRは、波長可変範囲ＷVの全部と範囲ＷSの一部とを含む。具体的には、受光波長範囲ＷRの下限値は、波長可変範囲ＷVの下限値（１０００ｎｍ）を下回り、受光波長範囲ＷRの上限値は、波長可変範囲ＷVの上限値（１２００ｎｍ）を上回る。図３では、７００ｎｍ以上１７００ｎｍ以下の波長域が受光波長範囲ＷRとして例示されている。なお、発光部２３１による出射光は、受光波長範囲ＷRを内包する広範囲にわたり強度が分布する。
【００２４】
波長可変範囲ＷVの全部および範囲ＷSの一部が受光波長範囲ＷRに含まれるので、波長可変範囲ＷV外の光を遮光しない構成では、波長可変範囲ＷV内の光だけでなく範囲ＷS内の光も受光部２５５が受光し得る。したがって、波長可変範囲ＷVの光の受光レベルに応じた検出信号を高精度に生成できないという問題がある。そこで、第１実施形態では、波長可変範囲ＷV外の光を低減（理想的には遮光）するために、第１フィルター２３７および第２フィルター２５１を利用する。
【００２５】
図３には、第１フィルター２３７および第２フィルター２５１の透過率特性が図示されている。第１フィルター２３７は、波長可変範囲ＷV外（範囲ＷS）の光を低減する。具体的には、第１フィルター２３７は、発光部２３１が出射した光のうち、波長可変範囲ＷV内の波長の光を透過させ、波長可変範囲ＷV外の波長の光を低減する。第１実施形態では、ショートパスフィルター（ハイパスフィルター）とロングパスフィルター（ローパスフィルター）とで第１フィルター２３７が構成される。ショートパスフィルターは、波長可変範囲ＷVの上限値に対応する第１波長λ1を上回る範囲の波長の光を低減する。第１波長λ1を下回る光はショートパスフィルターを通過する。他方、ロングパスフィルターは、波長可変範囲ＷVの下限値に対応する第３波長λ3を下回る範囲の波長の光を低減する。第３波長λ3を上回る光はロングパスフィルターを通過する。図３では、波長可変範囲ＷVの上限値（１２００ｎｍ）を第１波長λ1とし、波長可変範囲ＷVの下限値（１０００ｎｍ）を第３波長λ3とする場合を例示する。
【００２６】
ここで、第１フィルター２３７は、理想的には波長可変範囲ＷV外（範囲ＷS）の光を完全に遮光するが、実際の第１フィルター２３７（具体的にはショートパスフィルター）は、波長可変範囲ＷV外の光のうち、仕様上において遮光可能な波長の範囲（以下「遮光保証範囲」という）ＷG外の光を透過し得る。したがって、受光部２５５の受光波長範囲ＷR（７００ｎｍ〜１７００ｎｍ）が第１フィルター２３７の遮光保証範囲ＷGよりも広範囲にわたる場合、受光部２５５が波長可変範囲ＷV外の光を受光し得る。
【００２７】
第１実施形態では、波長可変範囲ＷVの上限値である第１波長λ1よりも長波長側において、遮光保証範囲ＷG外の光が第１フィルター２３７で透過される場合を例示する。図３では、１２００ｎｍ以上１５００ｎｍ以下の波長域が第１フィルター２３７（ショートパスフィルター）の遮光保証範囲ＷGとして例示される。つまり、波長可変範囲ＷV外の光のうち、１５００ｎｍを上回る光は第１フィルター２３７を通過する。したがって、第２フィルター２５１を設置しない構成では、範囲ＷSのうち１５００ｎｍより大きく１７００ｎｍ以下の光が受光部２５５により受光されてしまう。以上の事情を考慮して、第１実施形態では、第１波長λ1よりも長波長側の第２波長λ2を上回る範囲の波長の光を低減する第２フィルター２５１を設置する。
【００２８】
第２波長λ2は、第１波長λ1（１２００ｎｍ）を上回り、かつ、遮光保証範囲ＷGの上限値（１５００ｎｍ）を下回るように設定される。つまり、第２波長λ2は受光波長範囲ＷRの上限値（１７００ｎｍ）を下回る。図３では、第２波長λ2が１３００ｎｍに設定された場合が例示される。具体的には、第２フィルター２５１は、発光ユニット２３から照射され生体の内部で反射した光のうち、第２波長λ2を上回る範囲の波長の光を低減する。第２波長λ2を下回る成分を透過させ、第２波長λ2を上回る成分を低減するショートパスフィルターが第２フィルター２５１として採用される。
【００２９】
特定部４０は、受光部２５５が生成した検出信号に応じて生体情報（血糖値）を特定する。具体的には、特定部４０は、検出信号から吸光スペクトルを生成し、当該吸光スペクトルから血糖値を特定する。吸光スペクトルを利用した血糖値の特定には、例えば重回帰分析法等の公知の技術が任意に利用され得る。ＰＬＳ（Partial Least Squares）回帰分析法および独立成分分析法等が重回帰分析法として例示される。表示部６０（例えば液晶表示パネル）は、特定部４０が特定した血糖値を表示する。
【００３０】
以上の説明から理解される通り、第１実施形態では、発光部２３１と生体との間で波長可変範囲ＷV外の光が第１フィルター２３７により低減される。ここで、生体に照射される光の強度は、所定の許容値を下回る必要がある。発光部２３１と生体との間で波長可変範囲ＷV外の光が低減される第１実施形態の構成によれば、生体と受光部２５５との間で波長可変範囲ＷV外の光を低減する構成と比較して、所定の許容値を下回る範囲内で波長可変範囲ＷV内の光をより多く生体に照射することが可能である。
【００３１】
第１実施形態では特に、波長可変範囲ＷVの上限値に対応する第１波長λ1よりも長波長側の第２波長λ2を上回る範囲の波長の光が第２フィルター２５１により低減されるから、第１フィルター２３７で低減しきれなかった波長可変範囲ＷV外の光（具体的には波長可変範囲ＷVの上限値よりも長波長側において低減しきれなかった光）を低減することが可能である。また、第１実施形態では、受光部２５５の受光波長範囲ＷRの上限値を第２波長λ2が下回るから、第１フィルター２３７で低減しきれなかった光を受光部２５５が受光する可能性が低減できる。以上の説明から理解される通り、第１フィルター２３７および第２フィルター２５１の双方を具備する第１実施形態の構成によれば、充分な光量で波長可変範囲ＷVの光（所望の波長域外の光）を生体に照射し、かつ、波長可変範囲ＷV外の光が受光されることを低減することが可能である。すなわち、波長可変範囲ＷVの光の受光レベルに応じた検出信号を高精度に生成することができる。
【００３２】
＜第２実施形態＞
本発明の第２実施形態を説明する。なお、以下に例示する各形態において作用または機能が第１実施形態と同様である要素については、第１実施形態の説明で使用した符号を流用して各々の詳細な説明を適宜に省略する。
【００３３】
第２実施形態の検出装置２０における受光ユニット２５は、第１実施形態の第２フィルター２５１に代えて第３フィルターを具備する構成である。検出装置２０におけるその他の構成は、第１実施形態と同様である。
【００３４】
図４には、第２実施形態における第１フィルター２３７および第３フィルターの透過率特性が図示されている。その他の特性（発光部２３１の分光特性，受光部２５５の受光感度特性，分光部２５３の透過率特性）は、第１実施形態と同様である。第１実施形態では、波長可変範囲ＷVの上限値である第１波長λ1よりも長波長側において、遮光保証範囲ＷG外の光が第１フィルター２３７を通過する場合を例示した。それに対して、第２実施形態では、波長可変範囲ＷVの下限値である第３波長λ3よりも短波長側において、遮光保証範囲ＷG外の光が第１フィルター２３７（具体的にはロングパスフィルター）を通過する場合を例示する。図４では、８００ｎｍ以上１０００ｎｍ以下の波長域が第１フィルター２３７（ロングパスフィルター）の遮光保証範囲ＷGとして例示される。つまり、波長可変範囲ＷV外の光のうち、８００ｎｍを下回る光が第１フィルター２３７を通過する。したがって、第３フィルターを設置しない構成では、範囲ＷSのうち７００ｎｍ以上８００ｎｍより小さい光が受光部２５５により受光されてしまう。以上の事情を考慮して、第２実施形態では、第３波長λ3よりも短波長側の第４波長λ4を下回る範囲の波長の光を低減する第３フィルターを設置する。
【００３５】
第４波長λ4は、第３波長λ3（１０００ｎｍ）を下回り、かつ、遮光保証範囲ＷGの下限値（８００ｎｍ）を上回るように設定される。つまり、第４波長λ4は受光波長範囲ＷRの下限値（７００ｎｍ）を上回る。図４では、第４波長λ4が８００ｎｍに設定された場合が例示される。
【００３６】
第３フィルターは、生体（または保護部２７）と受光部２５５との間に設けられる。具体的には、第３フィルターは、発光ユニット２３から照射され生体の内部で反射した光のうち、第４波長λ4を下回る範囲の波長の光を低減する。第４波長λ4を上回る成分を透過させ、第４波長λ4を下回る成分を低減するロングパスフィルター（ローパスフィルター）が第３フィルターとして採用される。
【００３７】
以上の説明から理解される通り、第２実施形態でも第１実施形態と同様に、発光部２３１と生体との間で波長可変範囲ＷV外の光が第１フィルター２３７により低減される。したがって、所定の許容値を下回る範囲内で波長可変範囲ＷV内の光をより多く生体に照射することが可能である。
【００３８】
第２実施形態では特に、波長可変範囲ＷVの下限値に対応する第３波長λ3よりも短波長側の第４波長λ4を下回る範囲の波長の光が第３フィルターにより低減されるから、第１フィルター２３７で低減しきれなかった波長可変範囲ＷV外の光（具体的には波長可変範囲ＷVの下限値よりも短波長側において低減しきれなかった光）を低減することが可能である。また、受光部２５５の受光波長範囲ＷRの下限値を第４波長λ4が上回るから、第１フィルター２３７で低減しきれなかった光を受光部２５５が受光する可能性が低減できる。以上の説明から理解される通り、第１フィルター２３７および第３フィルターの双方を具備する第１実施形態の構成によれば、充分な光量で波長可変範囲ＷVの光を生体に照射し、かつ、波長可変範囲ＷV外の光が受光されることを低減することが可能である。すなわち、波長可変範囲ＷVの光の受光レベルに応じた検出信号を高精度に生成することができる。
【００３９】
＜変形例＞
以上に例示した各形態は多様に変形され得る。具体的な変形の態様を以下に例示する。以下の例示から任意に選択された２以上の態様を適宜に併合することも可能である。
【００４０】
（１）第１実施形態では生体と受光部２５５との間に第２フィルター２５１を設ける構成を例示し、第２実施形態では生体と受光部２５５との間に第３フィルターと設ける構成を例示したが、生体と受光部２５５との間に第２フィルター２５１および第３フィルターの双方を設けてもよい。例えば、波長可変範囲ＷVの上限値よりも長波長側と波長可変範囲ＷVの下限値よりも短波長側との双方において、遮光保証範囲ＷG外の光が第１フィルター２３７で透過される場合には、第２フィルター２５１および第３フィルターの双方を設ける構成が好適である。
【００４１】
（２）前述の各形態では、ショートパスフィルターとロングパスフィルターとで第１フィルター２３７を構成したが、第１フィルター２３７の構成は以上の例示に限定されない。例えば波長可変範囲ＷV内の光を選択的に透過し、波長可変範囲ＷV外の光を遮光する帯域通過フィルターを第１フィルター２３７としてもよい。また、ショートパスフィルターおよびロングパスフィルターの何れか一方のみで第１フィルター２３７を構成してもよい。例えば受光部２５５の受光波長範囲ＷRの下限値が波長可変範囲ＷVの下限値を上回る場合は、ショートパスフィルターのみで第１フィルター２３７を構成してもよい。また、受光部２５５の受光波長範囲ＷRの上限値が波長可変範囲ＷVの上限値を下回る場合は、ロングパスフィルターのみで第１フィルター２３７を構成してもよい。
【００４２】
（３）前述の各形態では、波長可変範囲ＷVの上限値を第１波長λ1としたが、第１波長λ1は波長可変範囲ＷVの上限値に一致しなくてもよい。例えば、波長可変範囲ＷVの上限値を下回る第１波長λ1を設定してもよい。また、第３波長λ3についても同様に、波長可変範囲ＷVの下限値に一致しなくてもよい。
【符号の説明】
【００４３】
１…生体情報測定装置、１１…受光経路、１３…照射経路、２０…検出装置、４０…特定部、６０…表示部、２１…筐体、２３…発光ユニット、２３１…発光部、２３３…リフレクター、２３５…レンズ、２３７…フィルター、２５…受光ユニット、２５１…フィルター、２５３…分光部、２５５…受光部、２７…保護部。
【図１】
2019049470.tif 000003
【図２】
2019049470.tif 000004
【図３】
2019049470.tif 000005
【図４】
2019049470.tif 000006